(57)【要約】【課題】凝集剤注入率を高精度に制御でき、ファウリングの発生を有効に防止することができる水処理システム及びその凝集剤注入方法を提供する。【解決手段】前処理装置3,11と、逆浸透膜モジュール6と、前処理装置に供給される海水に凝集剤を注入する凝集剤注入装置10と、前処理装置よりも下流側において海水中のTEP量と他の水質測定項目とを測定する水質分析装置32と、２つ以上の水質測定項目を組み合わせた水質分析測定結果を記録する記録装置23と、TEP量と凝集剤注入率との関係式と、他の水質測定項目と凝集剤注入率との関係式と、２つ以上の水質測定項目の相互間の関係式とをそれぞれ導出する関係式導出手段21-23と、過去の実績データから適切な凝集剤注入率の初期値を選択し、選択した初期値から凝集剤の注入を開始させ、さらに水質分析測定結果と複数の関係式とを用いて凝集剤注入率を求め、求めた凝集剤注入率になるように凝集剤注入装置を制御する凝集剤注入率制御手段20とを有する。【選択図】    図１
2012170848.tif 000002
【特許請求の範囲】
【請求項１】
溶質含有水をろ過して異物を除去する前処理装置と、
前処理された溶質含有水を膜ろ過して溶質を分離除去する逆浸透膜モジュールと、
前記前処理装置に供給される溶質含有水に対して凝集剤を注入添加する凝集剤注入装置と、
前記前処理装置よりも下流側において溶質含有水の透明細胞外高分子粒子の量と少なくとも１つの他の水質測定項目とをそれぞれ測定する第１の水質分析装置と、
前記水質分析装置から得られた少なくとも２つ以上の水質測定項目を組み合わせた水質分析測定結果を記録する記録装置と、
前記透明細胞外高分子粒子の量と凝集剤の注入率との間の相関関係式と、前記他の水室測定項目と凝集剤の注入率との間の相関関係式と、前記少なくとも２つ以上の水質測定項目の相互間の相関関係式と、をそれぞれ導出する関係式導出手段と、
過去の実績データから適切な凝集剤注入率の初期値を選択し、選択した初期値から凝集剤の注入を開始させ、さらに前記記録装置から呼び出した前記水質分析測定結果と前記関係式導出手段により導出された前記相関関係式とを用いて凝集剤注入率を求め、求めた凝集剤注入率になるように前記凝集剤注入装置を制御する凝集剤注入率制御手段と、
を具備することを特徴とする水処理システム。
【請求項２】
前記前処理装置が砂ろ過層を有する砂ろ過装置であり、
前記前処理装置よりも上流側において溶質含有水の透明細胞外高分子粒子の量と少なくとも１つの他の水質測定項目とをそれぞれ測定する第２の水質分析装置をさらに有することを特徴とする請求項１記載の水処理システム。
【請求項３】
前記第１の水質分析装置で得られた水質分析結果を制御目標値として設定し、設定した制御目標値を前記記録装置に記録し、記録した制御目標値を前記記録装置から呼び出し、呼び出した制御目標値を前記凝集剤注入率制御手段に送り、前記凝集剤注入率制御手段に前記制御目標値を用いて凝集剤注入率を求めさせ、求めた凝集剤注入率になるように前記凝集剤注入装置をフィードバック制御するフィードバック制御手段をさらに有することを特徴とする請求項１記載の水処理システム。
【請求項４】
前記第２の水質分析装置で得られた水質分析結果を制御目標値として設定し、設定した制御目標値を前記記録装置に記録し、記録した制御目標値を前記記録装置から呼び出し、呼び出した制御目標値を前記凝集剤注入率制御手段に送り、前記凝集剤注入率制御手段に前記制御目標値を用いて凝集剤注入率を求めさせ、求めた凝集剤注入率になるように前記凝集剤注入装置をフィードバック制御するフィードバック制御手段をさらに有することを特徴とする請求項２記載の水処理システム。
【請求項５】
前記前処理装置がろ過膜を有する膜ろ過装置であることを特徴とする請求項１又は３のいずれか１項記載の水処理システム。
【請求項６】
前記前処理装置よりも上流側において溶質含有水の透明細胞外高分子粒子の量と少なくとも１つの他の水質測定項目とをそれぞれ測定する第２の水質分析装置をさらに有することを特徴とする請求項５記載の水処理システム。
【請求項７】
前記第１の水質分析装置で得られた水質分析結果を制御目標値として設定し、設定した制御目標値を前記記録装置に記録し、記録した制御目標値を前記記録装置から呼び出し、呼び出した制御目標値を前記凝集剤注入率制御手段に送り、前記凝集剤注入率制御手段に前記制御目標値を用いて凝集剤注入率を求めさせ、求めた凝集剤注入率になるように前記凝集剤注入装置をフィードバック制御するフィードバック制御手段をさらに有することを特徴とする請求項５記載の水処理システム。
【請求項８】
前記第２の水質分析装置で得られた水質分析結果を制御目標値として設定し、設定した制御目標値を前記記録装置に記録し、記録した制御目標値を前記記録装置から呼び出し、呼び出した制御目標値を前記凝集剤注入率制御手段に送り、前記凝集剤注入率制御手段に前記制御目標値を用いて凝集剤注入率を求めさせ、求めた凝集剤注入率になるように前記凝集剤注入装置をフィードバック制御するフィードバック制御手段をさらに有することを特徴とする請求項６記載の水処理システム。
【請求項９】
前記前処理装置の上流側と下流側とにおいて溶質含有水の連続的な水質及びプラントの状態をそれぞれ計測する手段と、
凝集剤注入率を自動で変更する手段と、
処理の良否を判定する手段と、
前記凝集剤注入装置の注入開始時、水質変動時、および／またはプラントの条件を変化させた時、のようにイベントが生じた際に、適正な注入率を求める演算装置と、
をさらに有することを特徴とする請求項１乃至８のいずれか１項記載の水処理システム。
【請求項１０】
前記他の水質測定項目は、濁度、シルト・デンシティ指数（SDI）、モディファイド・ファウリング指数（MFI）、全有機炭素（TOC）量、紫外線吸光度（E260）、クロロフィルa量、植物プランクトン数、および蛍光強度からなる群のうちから選択される１つ又は２つ以上であることを特徴とする請求項１乃至９のいずれか１項記載の水処理システム。
【請求項１１】
（ａ）前処理装置により溶質含有水をろ過して異物を除去し、
（ｂ）前記前処理された溶質含有水を逆浸透膜モジュールにより膜ろ過して溶質を分離除去し、
（ｃ）前記前処理装置よりも下流側において溶質含有水の透明細胞外高分子粒子の量と少なくとも１つの他の水質測定項目とをそれぞれ測定し、
（ｄ）測定した少なくとも２つ以上の水質測定項目を組み合わせた水質分析測定結果を記録装置に記録し、
（ｅ）前記透明細胞外高分子粒子の量と凝集剤の注入率との間の相関関係式と、前記他の水質測定項目と凝集剤の注入率との間の相関関係式と、前記少なくとも２つ以上の水質測定項目の相互間の相関関係式と、をそれぞれ導出し、
（ｆ）過去の実績データから適切な凝集剤注入率の初期値を選択し、選択した初期値から凝集剤の注入を開始させ、さらに前記記録装置から呼び出した前記水質分析測定結果と前記相関関係式とを用いて凝集剤注入率を求め、求めた凝集剤注入率になるように前記前処理装置に供給される溶質含有水に対して注入される凝集剤の量を制御する、
ことを特徴とする水処理システムの凝集剤注入方法。
【発明の詳細な説明】
【技術分野】
【０００１】
本発明は、イオンや塩類などの溶質を含む汽水、海水、地下水又は埋立地浸出水、産業廃水などを逆浸透膜モジュールによりろ過を行う水処理システム及びその凝集剤注入方法に関する。
【背景技術】
【０００２】
イオンや塩類などの溶質を含む汽水、海水、地下水又は埋立地浸出水、産業廃水などから生活用水、工業用水、農業用水を得る方法として膜ろ過法が知られている。膜ろ過法の１つとして逆浸透膜を利用する方法がある。逆浸透膜（RO膜）は、水を通しイオンや塩類など水以外の不純物は透過しない性質を持つ膜のことで、溶質の濃度に応じた浸透圧以上の圧力をかけることにより水と溶質を分離する。
【０００３】
こうした逆浸透膜モジュールを利用する水処理システムとして例えば海水淡水化システムでは、海水を逆浸透膜モジュールに通して脱塩する前に、取水した海水中に含まれる濁度、藻類、微生物などの懸濁物質を除去するために凝集剤を注入し、フロックを形成させ除去しやすくした後、砂ろ過や膜ろ過などの前処理を行う。この前処理には、砂ろ過が用いられる他、近年、膜モジュールである精密ろ過膜（MF膜）および限外ろ過膜（UF膜）などの膜ろ過が用いられる。
【０００４】
従来、この凝集剤注入率の制御システムとしては、物理学的、化学的観点から凝集剤注入率を算出しているものが多くみられたが、例えば海水の膜ろ過処理においては、海水中の溶存有機物、微生物、特に微生物が放出する粘性の高い有機物、無機イオンなどが原因で、膜表面に生物的な汚れ、ファウリングが発生するという生物学的観点における課題もある。
【０００５】
被処理水の水質は時間や季節変動、さらには地理的差異があり、またファウリング要因物質もこれらの影響を受けるため、これらに応じて適切な凝集剤注入率も変動する。ファウリングのうち、ろ過性を著しく低下させるものは不可逆的な汚れであり、生成を抑制することが重要となる。
【０００６】
ファウリングを抑制する手段としては、対象とする被処理水中にファウリングの要因となる物質がどの程度存在するかを把握し、ファウリング生成の危険性に応じて膜ろ過の運転条件やろ過膜の洗浄条件を制御する方法が種々提案されている。
【０００７】
例えば特許文献１では、凝集監視装置を設置し、採取試料の濁度又は色度を測定し、その測定値に応じて凝集剤の注入量を制御する方法が提案されている。また、特許文献２では、原水の濁度と凝集剤注入率との相関から凝集剤注入率を求め、求めた注入率に基づいて凝集剤の注入量を制御する方法が提案されている。さらに、特許文献３では、凝集剤注入後のフロックを含有した状態の処理水中の残留凝集剤主成分濃度から、残留凝集剤主成分濃度の設定値との偏差に応じて凝集剤注入率を補正する方法が提案されている。
【先行技術文献】
【特許文献】
【０００８】
【特許文献１】特開平５−１４６６０８号公報
【特許文献２】特開２００７−０２９８５１号公報
【特許文献３】特開２０１０−１３７１１５号公報
【発明の概要】
【発明が解決しようとする課題】
【０００９】
しかしながら、上述した従来技術のいずれも、凝集剤注入率を決定するためのプロセス条件項目が絶対的に少なく、特に従来技術ではプロセス条件項目として生物学的要因をまったく考慮していないため、凝集剤の注入率を高精度に制御するには不十分であるといわざるをえない。水処理プロセスにおいて生物学的要因の影響力は大きく、被処理水の水質が日間変動あるいは季節変動した場合に、安定した処理水質を得ることが難しくなり、過酷な条件で運転を続けると前段の前処理システムや後段の逆浸透膜モジュールが目詰まりするファウリングが発生し、運転を続けることが困難になり、稼働率の低下を招くことがある。
【００１０】
本発明は上記課題を解決するためになされたものであり、凝集剤注入率を高精度に制御でき、ファウリングの発生を有効に防止することができる水処理システム及びその凝集剤注入方法を提供することを目的とする。
【課題を解決するための手段】
【００１１】
本発明では、上述した生物学的要因も考慮した上で、物理的、化学的観点からの課題にも適応するため、被処理水及び前処理を施した被処理水における濁度、SDI、MFI、TOC、E260、生物学的視点からみたTEP（細胞外ポリマー粒子 Transparent Exopolymer Particle：以下ＴＥＰとする）量、クロロフィルa量、植物プランクトン数、蛍光強度、などの水質分析及び前処理膜及び後段の逆浸透膜の差圧上昇の抑制を考慮した膜差圧の測定を行い、これらの結果から少なくとも２つ以上の組み合わせにおいて、予め設定しておいた関係から、凝集剤注入率を算出することで最適化を図る。
【００１２】
さらに、被処理水の水質は時間や季節変動、さらには地理的差異があり、これに応じて適切な凝集剤注入率も変動するため、必要に応じて前記項目以外に、水温、塩濃度、pH、アルカリ度を考慮して水質指標の補正を行うこともできる。
【００１３】
本発明は上述した生物学的視点からの考慮を新たに加えたものであり、上記課題を解決するために以下の解決手段を備えている。
【００１４】
本発明に係る水処理システムは、溶質含有水をろ過して異物を除去する前処理装置と、前処理された溶質含有水を膜ろ過して溶質を分離除去する逆浸透膜モジュールと、前記前処理装置に供給される溶質含有水に対して凝集剤を注入添加する凝集剤注入装置と、前記前処理装置よりも下流側において溶質含有水の透明細胞外高分子粒子の量と少なくとも１つの他の水質測定項目とをそれぞれ測定する第１の水質分析装置と、前記水質分析装置から得られた少なくとも２つ以上の水質測定項目を組み合わせた水質分析測定結果を記録する記録装置と、前記透明細胞外高分子粒子の量と凝集剤の注入率との間の相関関係式と、前記他の水室測定項目と凝集剤の注入率との間の相関関係式と、前記少なくとも２つ以上の水質測定項目の相互間の相関関係式と、をそれぞれ導出する関係式導出手段と、過去の実績データから適切な凝集剤注入率の初期値を選択し、選択した初期値から凝集剤の注入を開始させ、さらに前記記録装置から呼び出した前記水質分析測定結果と前記関係式導出手段により導出された前記相関関係式とを用いて凝集剤注入率を求め、求めた凝集剤注入率になるように前記凝集剤注入装置を制御する凝集剤注入率制御手段と、を具備することを特徴とする。
【００１５】
本願明細書中の重要な用語を以下にそれぞれ定義する。
【００１６】
溶質含有水とは、イオンや塩類などの溶質を含む汽水、海水、地下水、埋立地浸出水、産業排水などをいう。とくに溶質としてイオンや塩類などの無機質の成分を多く含む海水や汽水などをいう。
【００１７】
透明細胞外高分子粒子とは、トランスパレント・エキソポリマー・パーティクル（Transparent Exopolymer Particle；略称TEP）のことであり、物体の表面に粘り気のあるヌルヌルした所謂ぬめりを生じさせる物質をいう。TEPは、膜の表面に単に付着するばかりでなく、微細孔を塞いで膜のろ過性を著しく低下させ、不可逆的な目詰まりを生じさせるファウリングの原因物質の１つである。TEPは、種々の原因で発生する物質であるが、生物学的視点からみた場合に生きた細胞から出される透明細胞外高分子粒子と死んだ細胞から出てきた透明細胞外高分子粒子とが包括的に含まれる。
【００１８】
シルト・デンシティ指数とは、Silt Density Index（略称SDI）のことであり、ASTM D4189で規定された水質指標の１つをいう。
【００１９】
モディファイド・ファウリング指数とは、Modified Fouling Index（略称MFI）のことであり、膜ろ過を行おうとする液が膜にどの程度ファウリングを起こさせるかを示す半定量的な水質指標をいう。ちなみにファウリング指数はJIS K3802で規定されている。
【００２０】
全有機炭素とは、トータル・オーガニック・カーボン（Total Organic Carbon；略称TOC）のことであり、水中の酸化されうる有機物の全量を炭素の量で示した水質指標をいう。TOCは従前のBODやCODにとって代わる水質指標の１つである。
【００２１】
紫外線吸光度とは、水に波長260nmの紫外光を照射したときの光の吸収の程度を示す水質指標の１つをいい、E260で表記される。ちなみにE260は二重結合を有する有機物が水中にどのくらい含まれているかを示す指標になる。
【図面の簡単な説明】
【００２２】
【図１】本発明の第１の実施形態に係る水処理システムを示す構成ブロック図。
【図２】本発明の第２の実施形態に係る水処理システムを示す構成ブロック図。
【図３】本発明の第３の実施形態に係る水処理システムを示す構成ブロック図。
【図４】本発明の第４の実施形態に係る水処理システムを示す構成ブロック図。
【図５】本発明の第５の実施形態に係る水処理システムを示す構成ブロック図。
【図６】本発明の第６の実施形態に係る水処理システムを示す構成ブロック図。
【図７】本発明の第７の実施形態に係る水処理システムを示す構成ブロック図。
【図８】本発明の第８の実施形態に係る水処理システムを示す構成ブロック図。
【図９】本発明の方法において凝集剤注入率を選定するときに用いる特性線図。
【図１０】本発明の方法において凝集剤注入率を選定するときに用いる特性線図。
【図１１】従来の方法において凝集剤注入率を選定するときに用いる特性線図。
【図１２】本発明の方法を実施するためのフローチャート。
【図１３】本発明の方法において凝集剤注入率の選定手順を説明するための特性線図。
【図１４】本発明の方法において凝集剤注入率の選定手順を説明するための特性線図。
【発明を実施するための形態】
【００２３】
本発明者らは、水処理システムの運転におけるプロセス条件と生物的要因に関する水質項目との関係について鋭意研究した結果、被処理水中の膜のファウリングの要因となる物質は単一の物質ではなく、複数の物質が相互に作用しあってファウリングを形成していることが判明した。さらに、本発明者らは、被処理水の生物的要因に関する水質項目を掘り下げて分析し、数ある生物的要因の水質項目のうちの少なくとも２つ以上を組み合わせることで、凝集剤注入率の最適化を図ることを見出した。
【００２４】
本発明はかかる知見に基づいて成されたものであり、以下にその好ましい実施の形態を説明する。
【００２５】
（１）本発明の実施形態に係る水処理システムは、溶質含有水をろ過して異物を除去する前処理装置（3,11）と、前処理された溶質含有水を膜ろ過して溶質を分離除去する逆浸透膜モジュール（6）と、前記前処理装置に供給される溶質含有水に対して凝集剤を注入添加する凝集剤注入装置（10）と、前記前処理装置よりも下流側において溶質含有水の透明細胞外高分子粒子の量と少なくとも１つの他の水質測定項目とをそれぞれ測定する第１の水質分析装置（32）と、前記水質分析装置から得られた少なくとも２つ以上の水質測定項目を組み合わせた水質分析測定結果を記録する記録装置（23）と、前記透明細胞外高分子粒子の量と凝集剤の注入率との間の相関関係式と、前記他の水質測定項目と凝集剤の注入率との間の相関関係式と、前記少なくとも２つ以上の水質測定項目の相互間の相関関係式と、をそれぞれ導出する関係式導出手段（21-23）と、過去の実績データから適切な凝集剤注入率の初期値を選択し、選択した初期値から凝集剤の注入を開始させ、さらに前記記録装置から呼び出した前記水質分析測定結果と前記関係式導出手段により導出された前記相関関係式とを用いて凝集剤注入率を求め、求めた凝集剤注入率になるように前記凝集剤注入装置を制御する凝集剤注入率制御手段（20）と、を有することを特徴とする。
【００２６】
本実施形態では、溶質含有水の生物学的要因に関する水質測定項目を分析し、これらのうち少なくとも２つ以上の結果を組み合わせることで、凝集剤注入率の最適化を図ることができる。
【００２７】
ここで、水質測定項目を２つだけに絞ってその組合せの優先順位を考察してみると、TEPと濁度との組合せが最も好ましく、TEPとMFIとの組合せが次に好ましく、TEPとE260との組合せがその次に好ましい。さらに３つ又は４つ以上の水質測定項目を組み合わせれば、凝集剤注入率をより高精度に制御することができるのは勿論である。
【００２８】
（２）上記（１）において、前記前処理装置が砂ろ過層を有する砂ろ過装置であり、前記前処理装置よりも上流側において溶質含有水の透明細胞外高分子粒子の量と少なくとも１つの他の水質測定項目とをそれぞれ測定する第２の水質分析装置をさらに有することが好ましい。
【００２９】
本実施形態によれば、溶質含有水中に含まれる異物、例えば砂粒子や繊維などの不溶性固形物を砂ろ過層により迅速かつ確実に除去することができ、下流側の機器や装置の負荷が軽減されるとともに、逆浸透膜装置のＲＯ膜の寿命延長が図られる。
【００３０】
また、本実施形態によれば、第２の水質分析装置を用いて前処理装置の上流側の水質測定項目を測定分析することができ、凝集剤注入率をさらに高精度に制御することができる。
【００３１】
（３）上記（１）において、前記第１の水質分析装置で得られた水質分析結果を制御目標値として設定し、設定した制御目標値を前記記録装置に記録し、記録した制御目標値を前記記録装置から呼び出し、呼び出した制御目標値を前記凝集剤注入率制御手段に送り、前記凝集剤注入率制御手段に前記制御目標値を用いて凝集剤注入率を求めさせ、求めた凝集剤注入率になるように前記凝集剤注入装置をフィードバック制御するフィードバック制御手段をさらに有することが好ましい。
【００３２】
本実施形態によれば、フィードバック制御手段により凝集剤注入率をフィードバック制御することで、初期値から最適値に至るまでの凝集剤注入率の最適化時間が短縮されるという利点がある。
【００３３】
（４）上記（２）において、前記第２の水質分析装置で得られた水質分析結果を制御目標値として設定し、設定した制御目標値を前記記録装置に記録し、記録した制御目標値を前記記録装置から呼び出し、呼び出した制御目標値を前記凝集剤注入率制御手段に送り、前記凝集剤注入率制御手段に前記制御目標値を用いて凝集剤注入率を求めさせ、求めた凝集剤注入率になるように前記凝集剤注入装置をフィードバック制御するフィードバック制御手段をさらに有することが好ましい。
【００３４】
本実施形態においても上記（３）と同様に、フィードバック制御手段により凝集剤注入率をフィードバック制御することで、初期値から最適値に至るまでの凝集剤注入率の最適化時間が短縮されるという利点がある。
【００３５】
さらに本実施形態によれば、前処理装置の下流側の水質測定項目ばかりでなく上流側の水質測定項目も凝集剤注入率の最適化に寄与させているため、上記（３）よりも凝集剤注入率をさらに高精度にフィードバック制御することができる。
【００３６】
（５）上記（１）において、前記前処理装置としてろ過膜を有する膜ろ過装置を用いることが好ましい。本実施形態の膜ろ過装置として、精密ろ過膜（MF膜）または限外ろ過膜（UF膜）などを用いることができる。
【００３７】
本実施形態によれば、目詰まりなどによりろ過機能が低下したときに、機能低下したろ過膜を容易に交換することができるため、砂ろ過装置に比べて保守点検時間が短くなり、保守点検コストが低減される。
【００３８】
（６）上記（５）において、前記前処理装置よりも上流側において溶質含有水の透明細胞外高分子粒子の量と少なくとも１つの他の水質測定項目とをそれぞれ測定する第２の水質分析装置をさらに有することが好ましい。
【００３９】
本実施形態によれば、第２の水質分析装置を用いて前処理装置の上流側の水質測定項目を測定分析することができ、凝集剤注入率をさらに高精度に制御することができる。
【００４０】
（７）上記（５）において、前記第１の水質分析装置で得られた水質分析結果を制御目標値として設定し、設定した制御目標値を前記記録装置に記録し、記録した制御目標値を前記記録装置から呼び出し、呼び出した制御目標値を前記凝集剤注入率制御手段に送り、前記凝集剤注入率制御手段に前記制御目標値を用いて凝集剤注入率を求めさせ、求めた凝集剤注入率になるように前記凝集剤注入装置をフィードバック制御するフィードバック制御手段をさらに有することが好ましい。
【００４１】
本実施形態によれば、フィードバック制御手段により凝集剤注入率をフィードバック制御することで、初期値から最適値に至るまでの凝集剤注入率の最適化時間が短縮されるという利点がある。
【００４２】
（８）上記（６）において、前記第２の水質分析装置で得られた水質分析結果を制御目標値として設定し、設定した制御目標値を前記記録装置に記録し、記録した制御目標値を前記記録装置から呼び出し、呼び出した制御目標値を前記凝集剤注入率制御手段に送り、前記凝集剤注入率制御手段に前記制御目標値を用いて凝集剤注入率を求めさせ、求めた凝集剤注入率になるように前記凝集剤注入装置をフィードバック制御するフィードバック制御手段をさらに有することが好ましい。
【００４３】
本実施形態によれば、前処理装置の下流側の水質測定項目ばかりでなく上流側の水質測定項目も凝集剤注入率の最適化に寄与させているため、凝集剤注入率をさらに高精度にフィードバック制御することができる。
【００４４】
（９）上記（１）〜（８）のいずれかにおいて、前記前処理装置の上流側と下流側とにおいて溶質含有水の連続的な水質及びプラントの状態をそれぞれ計測する手段と、凝集剤注入率を自動で変更する手段と、処理の良否を判定する手段と、前記凝集剤注入装置の注入開始時、水質変動時、および／またはプラントの条件を変化させた時、のようにイベントが生じた際に、適正な注入率を求める演算装置と、をさらに有することが好ましい。
【００４５】
本実施形態によれば、オペレータがいない無人監視下においても有人監視下と同等程度に凝集剤注入率を最適値に制御することができる。
【００４６】
（10）上記（１）〜（９）のいずれかにおいて、前記他の水質測定項目は、濁度、シルト・デンシティ指数（SDI）、モディファイド・ファウリング指数（MFI）、全有機炭素（TOC）量、紫外線吸光度（E260）、クロロフィルa量、植物プランクトン数、および蛍光強度からなる群のうちから選択される１つ又は２つ以上であることが好ましい。
【００４７】
本実施形態では、TEP以外の他の水質測定項目として生物学的視点から濁度、SDI、MFI、TOC、E260、クロロフィルa量、植物プランクトン数、蛍光強度に着目し、これらのうちから少なくとも１つの測定結果とTEP量測定結果とを組合せたものと相関関係式とを用いて演算により凝集剤注入率の最適値を求めることができる。
【００４８】
水質測定項目の組合せとして最も好ましいものはTEPと濁度の組合せであり、次に好ましいものはTEPとE260の組合せであり、その次に好ましいものはTEPとMFIの組合せである。
【００４９】
（11）本発明の実施形態に係る水処理システムの凝集剤注入方法は、（ａ）前処理装置により溶質含有水をろ過して異物を除去し、（ｂ）前記前処理された溶質含有水を逆浸透膜モジュールにより膜ろ過して溶質を分離除去し、（ｃ）前記前処理装置よりも下流側において溶質含有水の透明細胞外高分子粒子の量と少なくとも１つの他の水質測定項目とをそれぞれ測定し、（ｄ）測定した少なくとも２つ以上の水質測定項目を組み合わせた水質分析測定結果を記録装置に記録し、（ｅ）前記透明細胞外高分子粒子の量と凝集剤の注入率との間の相関関係式と、前記他の水室測定項目と凝集剤の注入率との間の相関関係式と、前記少なくとも２つ以上の水質測定項目の相互間の相関関係式と、をそれぞれ導出し、（ｆ）過去の実績データから適切な凝集剤注入率の初期値を選択し、選択した初期値から凝集剤の注入を開始させ、さらに前記記録装置から呼び出した前記水質分析測定結果と前記相関関係式とを用いて凝集剤注入率を求め、求めた凝集剤注入率になるように前記前処理装置に供給される溶質含有水に対して注入される凝集剤の量を制御することを特徴とする。
【００５０】
本実施形態では、溶質含有水の生物学的要因に関する水質測定項目を分析し、これらのうち少なくとも２つ以上の結果を組み合わせることで、凝集剤注入率の最適化を図ることができる。
【００５１】
以下、添付の図面を参照して本発明を実施するための好ましい種々の形態の一例として海水淡水化プラントシステムの例を説明する。
【００５２】
（第１の実施形態）
先ず図１を参照して第１の実施の形態に係る水処理システム１を説明する。
【００５３】
本実施形態の水処理システム１は、配管ラインに沿って上流側から順に直列に配設された原水槽２、供給ポンプＰ１、流量計３１、前処理装置としての砂ろ過装置３、第１の水質分析装置３２、調整水槽４、送水ポンプＰ２、保安フィルター５、高圧ポンプＰ３、逆浸透膜モジュール６、および処理水槽７を備えている。さらに、水処理システム１は、周辺機器として凝集剤注入装置１０を有し、砂ろ過装置３の入口直前の上流側ラインＬ２に凝集剤が注入されるようになっている。
【００５４】
水処理システム１は、現場サイトから離れたところにある管理棟のコントロール室内に設けられた制御システム２０を含むものである。制御システム２０は、凝集剤注入率制御手段としてのＣＰＵ２１と、関係式導出手段の構成の一部をなす入出力インターフェース２２と、記録装置としてのデータベース２３とを有するものである。この制御システム２０により現場サイトの機器や装置が常時監視下におかれ、水処理システムにおける全体プロセスが統括的に制御されるようになっている。
【００５５】
原水槽２は、海中に引き込まれた配管ラインＬ１を通って図示しないポンプによって汲み上げられた海水を貯留するタンクである。
【００５６】
砂ろ過装置３は、ポンプＰ１および流量計３１が取り付けられた供給ラインＬ２を介して原水槽２に接続されている。砂ろ過装置３は、原水槽２から送られてくる海水に含まれる異物（固形物など）をろ過して除去するための砂ろ過層を有し、下流側の機器４，５，６の負担を軽減するための前処理装置として機能する。
【００５７】
流量計３１は、ラインＬ２を通流する海水の流量を計測し、制御システム２０の入力部にある入出力インターフェース２２に流量検出信号Ｓ１を送るようになっている。
【００５８】
原水槽２から砂ろ過装置３までの間のラインＬ２には凝集剤注入装置１０からのラインＬ１０が接続され、砂ろ過装置３に供給される直前の海水に凝集剤が注入されるようになっている。凝集剤の注入制御については後述する。
【００５９】
第１の水質分析装置３２は、海水の水質を測定して分析する機能を有しており、本実施形態ではTEPおよび濁度の２つの水質測定項目をそれぞれ計測し、その信号Ｓ２を制御システム２０の入出力インターフェース２２に送るようになっている。
【００６０】
調整水槽４は、ラインＬ３を介して砂ろ過装置３から送られてきた前処理水を一時的に貯留し、凝集剤の作用により懸濁物質を沈殿させる機能を有する。調整水槽４の出口はラインＬ４を介して保安フィルター５に接続され、送水ポンプＰ２により調整水槽４から上澄み水が保安フィルター５に送られるようになっている。
【００６１】
送水ポンプＰ２と高圧ポンプＰ３の間には、保安フィルター５が設置されており、逆浸透膜モジュール６の膜の目詰まりを抑制するために、ある程度粒径の大きな濁質等を取り除くようになっている。保安フィルター５の出口は高圧ラインＬ５を介して逆浸透膜モジュール６に接続され、高圧ポンプＰ３により保安フィルター５から逆浸透膜モジュール６内のＲＯ膜に約６ＭＰａの高圧海水が印加されるようになっている。
【００６２】
逆浸透膜モジュール６の一次側は圧力回収ラインＬ６２に連通し、ラインＬ６２を通って高圧の濃縮海水（ブライイン）が逆浸透膜モジュール６から排出され、図示しない圧力回収装置に送られるようになっている。また、逆浸透膜モジュール６の二次側は処理水排出ラインＬ６１に連通し、ラインＬ６１を通って処理水（淡水）が処理水槽７に送られるようになっている。
【００６３】
処理水槽７は、ＲＯ膜を透過してきた処理水（淡水）を一時的に貯留するタンクであり、出口が送水ラインＬ７を介して図示しない後工程の機器や装置に送水するようになっている。
【００６４】
次に本実施形態の作用を説明する。
【００６５】
供給ポンプＰ１により、砂ろ過装置３へ海水を供給して前処理を行い、一旦、調整水槽４に貯留する。その後、送水ポンプＰ２により高圧ポンプＰ３へ調整水槽４の海水を送水し、高圧ポンプＰ３は海水を高圧な状態（6MPa程度）まで昇圧して逆浸透膜モジュール６へ送水する。保安フィルター５は、逆浸透膜モジュール６の膜の目詰まりを抑制するために、ある程度粒径の大きな濁質等を取り除く。
【００６６】
逆浸透膜モジュール６は、原水に含まれるイオンや塩類などの溶質を除去し、処理水槽７に貯留され、さらに良好な水質を得るために、もう一段逆浸透膜モジュール（図示せず）へ送水することもある。なお、逆浸透膜モジュール６で除去した溶質は濃縮水として排水される。この濃縮水は高圧であるので、エネルギー回収の観点から、動力回収装置へ送水され利用される方法が多く採用されている（図示せず）。
【００６７】
前処理装置としての砂ろ過装置３と調整槽４との間のラインに第１の水質分析装置３２が前処理システム後の海水の水質分析を行うために設置されている。本実施形態において、凝集剤注入率制御は２つ以上の水質分析結果を組み合わせることで最適化しているため、第１の水質分析装置３２は、その用途に応じて複数台の水質分析装置が設置されてもよい。この水質分析装置３２は、決められた周期で定期的に計測し、また、あるイベントが生じた際にも測定を行うようになっている。
【００６８】
制御システム２０は、第１の水質分析装置３２からの前処理後の被処理水水質結果から凝集剤注入率を制御するものであって、例えば、水質項目ｘと水質項目ｙの２つの結果から最適な凝集剤注入率Kを求める場合、まずそれぞれの水質項目の最適値を抽出する。例えば水質項目ｘにおいて、最適な凝集剤注入率を図１２に示すように、あるイベントが発生した際に、図１３のような方法（記憶手段）に沿って、前回値などの適切な凝集剤注入率を初期値として設定して注入する。その後、自動で一定間隔ｎ倍ずつ注入率を上げていき、水質項目ｘの特性曲線f(Kx)を作成して記録装置に加えていく。その際のf(Kx)において、dX / dKx = 0となる凝集剤注入率を抽出し、これを水質項目ｘの最適凝集剤注入率とする。ただし、図１４に示すように凝集剤注入率が減少し続けた場合は、設けてある閾値に到達した時点で最適値とする。さらに、水質項目ｙにおいても前記手順で水質項目ｙにおける最適な凝集剤注入率を求める。このようにそれぞれの最適凝集剤注入率がＫｘ（水質項目ｘ）、Ｋｙ（水質項目ｙ）と定まったうえで、例えば下式（１）のような関係から新たなＫｚを求めるものである。
【００６９】
Ｋｚ＝ a・Ｋｘ＋ b・Ｋｙ  ……（１）
a：水質項目ｘの重み係数  、b：水質項目ｙの重み係数
ただし、 a ＋ b = １である。
【００７０】
水質項目が２つより多い場合は、式（１）の代わりに下式（２）を用いて、任意のn個を選別し、n個の水質項目結果を考慮した最適な凝集剤注入率を抽出する。
【００７１】
K＝w1・K１ + w2・K2 + ・・・+ wn・Kn  ・・・・・・（２）
供給ポンプＰ１と砂ろ過装置３との間のラインＬ１０に凝集剤注入装置１０が設置されている。凝集剤注入装置１０は、制御システム２０によって動作が制御される流量調整弁を内蔵している。
【００７２】
水質分析装置３２により被処理水の水質分析が行われ、その結果を、制御システム２０において制御を行い、前記手順により凝集剤注入率を演算し注入率を抽出し、流量計３１で測定した流量に応じて、凝集剤注入装置１０から注入量の凝集剤を注入する。
【００７３】
本発明は、オペレータの思考パターンと同様に前処理システム後の水質分析装置３２を用いて目標値の最適値を探索したものである。
【００７４】
逆浸透膜モジュール６を用いた水処理システム１では、例えば、海水を逆浸透膜モジュールに通して脱塩する前に、取水した海水中に含まれる濁度、藻類、微生物などの懸濁物質を除去するために、凝集剤を注入した後、砂ろ過装置３を用いて前処理を行う。
【００７５】
本実施形態では、第１の水質分析装置３２により前処理装置より下流側で海水の水質分析を行い、その結果を制御システム２０において制御を行い、前記手順により凝集剤注入率を演算し注入率を抽出し、流量計３１で測定した流量に応じて、凝集剤注入装置１０により注入量の凝集剤を注入する。
【００７６】
本実施形態の効果を説明する。
【００７７】
本実施形態の水処理システム１では、溶質含有水としての海水の水質分析を行いその結果を少なくとも２つ以上組み合わせて制御することで、より信頼性のある制御となり、また海水の水質分析を行うことにより、特定の水質に限定されることがないので幅広く応用でき、天候や地理的差異などによる水質変動にも適応できることから、凝集剤注入率の最適化を図ることが可能となる。
【００７８】
本実施形態は、前処理システム後の被処理水の水質分析により凝集剤注入率を算出することで、注入した凝集剤注入率の適正を見極めることが可能であり、注入した凝集剤注入率が適当でない場合は、測定している水質項目と注入率の関係式を導き、新たな最適注入率を抽出することで、より厳密な凝集剤注入率を算出することができ、コスト低減が可能となる。
【００７９】
図１１のように１つの水質分析結果を基に凝集剤注入率を選定した場合よりも、図９と図１０のように少なくとも２つ以上の水質分析結果を採用し、それぞれの水質結果に重み係数をつけ、前記のように予め設定しておいた関係から演算を行うことで、薬品の過剰投与、コストの増加、生物増殖などのより重大な問題を防止することができる。例えば図９のように、２つの水質分析項目ＡとＢ（問題の重大度、優先度：Ｂ＞Ａ）がある時、凝集剤注入率は水質項目Ａの最適値Ｘと水質項目Ｂの最適値Ｙとから、予め設定しておいた関係より最適な凝集剤注入率Ｚを算出する。この例によると凝集剤注入率は増加するが、より重大な問題である水質項目Ｂの値を考慮して定めることで、水処理設備における他の問題を抑制するため、総合するとコスト低減などにつながる。さらに、図１０のような場合には、凝集剤注入率を削減することができる。
【００８０】
本実施形態では、ファウリングの要因の一つと考えられる例えばTEPや植物プランクトン、クロロフィルaなどの生物学的視点からも凝集剤注入率を制御していることから、膜の目詰まりや配管における圧力損失などの問題も考慮しているので、コスト低減化を実現することができる。
【００８１】
（第２の実施形態）
図２を参照して第２の実施の形態に係る水処理システムを説明する。なお、本実施形態が上記の実施形態と重複する部分の説明は省略する。
【００８２】
本実施形態の水処理システム１Ａでは、砂ろ過システム３と流量計３１との間のラインＬ２に第２の水質分析装置３３を新たに設置した点が異なる。第２の水質分析装置３３は、第１の水質分析装置３２と同様に、TEPおよび濁度の２つの水質測定項目を計測するようになっている。
【００８３】
本実施形態の作用を説明する。
【００８４】
制御システム２０Ａは、上流側の水質分析装置３３と下流側の水質分析装置３２からの被処理水水質結果から凝集剤注入率を制御するものであって、例えば、水質項目ｘと水質項目ｙの２つの結果から最適な凝集剤注入率Kを求める場合、まず前処理システム前の被処理水におけるそれぞれの水質項目の最適値を抽出する。例えば水質項目ｘにおいて、最適な凝集剤注入率を図１２のように、あるイベントが発生した際に、図１３のような記憶手段に沿って注入率を初期値として設定して、凝集剤を注入する。その後、自動で一定間隔ｎ倍ずつ注入率を上げていき、水質項目ｘの特性曲線f(Kx)を作成して記録装置に加えていく。その際のf(Kx)において、dX / dKx = 0となる凝集剤注入率を抽出し、これを水質項目ｘの最適凝集剤注入率とする。ただし、図１４のように凝集剤注入率が減少し続けた場合は、設けてある閾値に到達した時点で最適値とする。さらに、水質項目ｙにおいても前記手順で水質項目ｙにおける最適な凝集剤注入率を求める。このようにそれぞれの最適凝集剤注入率がＫｘ（水質項目ｘ）、Ｋｙ（水質項目ｙ）と定まったうえで、例えば式（１）のような関係から新たなＫｚを求める。
【００８５】
Ｋｚ＝ a・Ｋｘ＋ b・Ｋｙ  ……（１）
a：水質項目ｘの重み係数  、b：水質項目ｙの重み係数
ただし、 a ＋ b = １である。
【００８６】
水質項目が２つより多い場合は、式（１）が式（２）となり、任意のn個を選別し、n個の水質項目結果を考慮した最適な凝集剤注入率を抽出する。
【００８７】
K＝w1・K１ + w2・K2 + ・・・+ wn・Kn  ・・・・・・（２）
本実施形態では、オペレータの思考パターンと同様に前処理システム後の水質分析装置３２を用いて目標値の最適値を探索したものである。
【００８８】
逆浸透膜モジュールを用いた水処理システムでは、例えば、海水を逆浸透膜モジュールに通して脱塩する前に、取水した海水中に含まれる濁度、藻類、微生物などの懸濁物質を除去するために、凝集剤を注入した後、砂ろ過システムを用いて前処理を行う。
【００８９】
本実施形態では、第２の水質分析装置３３により前処理装置３よりも上流側で溶質含有水の水質分析を行い初期値を設定し、第１の水質分析装置３２により前処理装置３の下流側で溶質含有水の水質分析を行い、その結果を制御システム２０において制御を行い、前記手順により凝集剤注入率を演算し注入率を抽出し、流量計３１で測定した流量に応じて、凝集剤注入装置１０で注入量の凝集剤を注入する。
【００９０】
本実施形態の効果を説明する。
【００９１】
本実施形態の水処理システム１Ａでは、前処理装置の上流側および下流側の海水の水質分析を行い、その結果を少なくても２つ以上組み合わせて制御することで、より信頼性のある制御となる。また、前処理システム前の被処理水水質分析を行うことにより、特定の水質に限定されることがないので幅広く応用でき、天候や地理的差異などによる水質変動にも適応できることから、凝集剤注入率の最適化を図ることが可能となる。
【００９２】
本実施形態では、前処理装置の下流側の海水の水質分析を行うことで、注入した凝集剤注入率の適正を見極めることが可能であり、注入した凝集剤注入率が適当でない場合は、測定している水質項目と注入率の関係式を導き、新たな最適注入率を抽出することができるので、コスト低減が可能となる。また、前処理装置より上流側の海水の水質分析を行い、その分析結果と予め記録された記憶手段により初期値を設定することにより、初期値をその時の最適な凝集剤注入率により近い値に設定できるので、注入率の最適値を抽出するまでにかかる時間の短縮と、振らせる注入量も少なくてすむので、よりコスト低減に貢献できる。
【００９３】
図１１のように１つの水質分析結果を基に凝集剤注入率を選定した場合よりも、図９と図１０に示すように少なくとも２つ以上の水質分析結果を採用し、それぞれの水質結果に重み係数をつけ、予め設定しておいた例えば式１のような関係から演算を行うことで、薬品の過剰投与、コストの増加、生物増殖、などのより重大な問題を防止することができる。例えば図９のように、２つの水質分析項目Ａ１とＢ１（問題の重大度、優先度：Ｂ１＞Ａ１）がある時、凝集剤注入率は水質項目Ａ１の最適値Ｘと水質項目Ｂ１の最適値Ｙとから、予め設定しておいた関係より最適な凝集剤注入率Ｚを算出する。この例によると凝集剤注入率は増加するが、より重大な問題である水質項目Ｂ１の値を考慮して定めることで、水処理設備における他の問題を抑制するため、総合するとコスト低減などにつながる。さらに、図１０のような場合には、凝集剤注入率を削減することができる。
【００９４】
次に図１２を参照して上述の水処理システムを用いて凝集剤注入率を最適に制御するための凝集剤注入制御方法について説明する。
【００９５】
水処理システムは管理棟の制御室が有人、無人にかかわらずモニタリング装置により常時監視下におかれている。このような常時監視下の水処理システムにおいて、制御システム２０は水処理システム系内に何らかのイベントが発生しているか否かを判定する（工程Ｋ１）。
【００９６】
水処理システム系内に何らかのイベントが発生したと判定すると、次に水質分析装置Ａ（第２の水質分析装置）があるか否かを判定する（工程Ｋ２）。ここで水処理システムにおいて発生するイベントとは、例えば暖流の流れ込みにより取水される海水の温度が急上昇するなどのようなプロセス条件の急激な変化のことである。
【００９７】
水質分析装置Ａが有ると判定した場合は、海水の水質分析結果より初期値を設定し、その初期値に従う凝集剤注入率で前処理装置３により前処理する前の海水に凝集剤の注入を開始する（工程Ｋ３）。
【００９８】
水質分析装置Ａが無いと判定した場合は、過去の実績データのなかから同月の最適な凝集剤注入率を初期値として凝集剤の注入を開始する（工程Ｋ４）。
【００９９】
次いで、凝集剤注入後の分析結果を記録手段に記録する（工程Ｋ５）。
【０１００】
凝集剤注入率を初期値とは異なる数値に変えて凝集剤を注入する（工程Ｋ６）。例えば初期値よりも凝集剤を減少させる方向へ凝集剤注入率を変える
凝集剤注入後において海水の水質測定項目の分析結果を記録手段に記録する（工程Ｋ７）。
【０１０１】
次いで、その水質測定項目と凝集剤注入率との相関関係式に対応する特性曲線f(k)の変化率が増加するか否かを判定する（工程Ｋ８）。
【０１０２】
特性曲線f(k)の変化率が増加すると判定した場合は、凝集剤注入率を初期値より増加させる方向へ変化させて凝集剤を注入する（工程Ｋ９）。
【０１０３】
次いで、凝集剤注入後の分析結果を記録手段に記録する（工程Ｋ１０）。
【０１０４】
前回に凝集剤注入率を変化させたのと同じ方向に凝集剤注入率をさらに変化させる（工程Ｋ１１）。すなわち、凝集剤注入率を初期値より増加させる方向へさらに変化させて海水に凝集剤を注入する。
【０１０５】
その水質測定項目と凝集剤注入率との相関関係式に対応する特性曲線f(k)の変化率が増加するか否かを判定する（工程Ｋ１２）。
【０１０６】
特性曲線f(k)の変化率が増加すると判定した場合は、ｄＸ/ｄＫ＝０となる凝集剤注入率を水質項目Ｘの最適凝集剤注入率とする（工程Ｋ１３）。その後に少なくとも２つの水質項目に対するそれぞれの凝集剤注入率が決定し、それらより新たに最適な凝集剤注入率をそれぞれ決定する。凝集剤注入後における海水の水質測定項目の分析結果を記録手段に記録する（工程Ｋ１５）。
【０１０７】
特性曲線f(k)の変化率が増加しないと判定した場合は、次に特性曲線f(k)の変化率が図１４に示す閾値に到達したか否かを判定する（工程Ｋ１４）。この閾値は、制御目標値を決めるための判定基準となるものであり、過去の実績データを参照して設定される値である。
【０１０８】
特性曲線f(k)の変化率が閾値に到達したと判定した場合は、閾値を水質項目Ｘの最適凝集剤注入率とする（工程Ｋ１６）。その後に少なくとも２つの水質項目に対するそれぞれの凝集剤注入率が決定し、それらより新たに最適な凝集剤注入率をそれぞれ決定する。凝集剤注入後における海水の水質測定項目の分析結果を記録手段に記録する（工程Ｋ１７）。
【０１０９】
本実施形態によれば、ファウリングの要因の一つと考えられるTEPや植物プランクトン、クロロフィルaなどの生物化学的視点からも凝集剤注入率を制御していることから、膜の目詰まりや配管における圧力損失などの問題も考慮しているので、コスト低減化を実現することができる。
【０１１０】
（第３の実施形態）
図３を参照して第３の実施の形態に係る水処理システムを説明する。なお、本実施形態が上記の実施形態と重複する部分の説明は省略する。
【０１１１】
本実施形態の水処理システム１Ｂでは、制御システム２０Ｂ内にフィードバック制御手段として機能するフィードバック制御回路２４を新たに設けた点が異なる。
【０１１２】
第１の水質分析装置３２は、海水の水質を測定して分析する機能を有しており、本実施形態ではTEPおよびE260の２つの水質測定項目を計測するようになっている。
【０１１３】
本実施形態の作用を説明する。
【０１１４】
制御システム２０Ｂは、第１の水質分析装置３２からの前処理装置より下流側の海水の水質結果から凝集剤注入率を制御するものであって、例えば、水質項目ｘと水質項目ｙの２つの結果から最適な凝集剤注入率Kを求める場合、まずそれぞれの水質項目の最適値を抽出する。例えば水質項目ｘにおいて、最適な凝集剤注入率を図１２のように、あるイベントが発生した際に、図１３のような記録手段がある場合は、その記録手段に沿って凝集剤注入率を設定して、凝集剤を注入する。一方、記憶手段がない場合は、前回値などの適切な凝集剤注入率を初期値として設定して注入する。その後、自動で一定間隔ｎ倍ずつ注入率を上げていき、水質項目ｘの特性曲線f(Kx)を作成して記録装置に加えていく。その際のf(Kx)において、dX / dKx = 0となる凝集剤注入率を抽出し、これを水質項目ｘの最適凝集剤注入率とする。ただし、図１４のように凝集剤注入率が減少し続けた場合は、設けてある閾値に到達した時点で最適値とする。さらに、水質項目ｙにおいても前記手順で水質項目ｙにおける最適な凝集剤注入率を求める。このようにそれぞれの最適凝集剤注入率がＫｘ（水質項目ｘ）、Ｋｙ（水質項目ｙ）と定まったうえで、例えば式（１）のような関係から新たなＫｚを求める。このKzを目標値として、前処理後の被処理水水質項目ｘ及びｙにおいて、フィードバック制御で補正を行い、凝集剤注入率を制御するものである。
【０１１５】
Ｋｚ＝ a・Ｋｘ＋ b・Ｋｙ  ……（１）
a：水質項目ｘの重み係数  、b：水質項目ｙの重み係数
ただし、 a ＋ b = １である。
【０１１６】
水質項目が２つより多い場合は、式（１）が式（２）となり、任意のn個を選別し、n個の水質項目結果を考慮した最適な凝集剤注入率を抽出する。
【０１１７】
K＝w1・K１ + w2・K2 + ・・・+ wn・Kn  ・・・・・・（２）
本実施形態では、オペレータの思考パターンと同様に前処理装置より下流側の第１の水質分析装置３２を用いて目標値の最適値を探索したものである。
【０１１８】
逆浸透膜モジュールを用いた水処理システムでは、例えば、海水を逆浸透膜モジュールに通して脱塩する前に、取水した海水中に含まれる濁度、藻類、微生物などの懸濁物質を除去するために、凝集剤を注入した後、砂ろ過システムを用いて前処理を行う。
【０１１９】
本実施形態では、第１の水質分析装置３２により前処理装置の下流側の水質分析を行い、その結果を制御システム２０Ｂにおいて制御を行い、前記手順により凝集剤注入率を演算し注入率を抽出し、この値を目標値としてフィードバック制御を行い注入率を補正し、流量計３１で測定した流量に応じて、凝集剤注入装置１０で注入量の凝集剤を注入する。
【０１２０】
本実施形態の効果を説明する。
【０１２１】
本実施形態の水処理システム１Ｂでは、前処理装置の下流側の海水の水質分析を行いその結果を少なくとも２つ以上組み合わせて制御することで、より信頼性のある制御となり、また抽出した注入率をフィードバック制御することで注入率を補正し一定に保つことができる。
【０１２２】
本実施形態では、前処理装置の下流側の海水の水質分析により凝集剤注入率を算出することで、注入した凝集剤注入率の適正を見極めることが可能であり、注入した凝集剤注入率が適当でない場合は、測定している水質項目と注入率の関係式を導き、新たな最適注入率を抽出することで、より厳密な凝集剤注入率を算出することができ、コスト低減が可能となる。
【０１２３】
図１１のように１つの水質分析結果を基に凝集剤注入率を選定した場合よりも、図９と図１０に示すように少なくとも２つ以上の水質分析結果を採用し、それぞれの水質結果に重み係数をつけ、前記のように予め設定しておいた関係から演算を行うことで、薬品の過剰投与、コストの増加、生物増殖、などのより重大な問題を防止することができる。例えば図９のように、２つの水質分析項目Ａ１とＢ１（問題の重大度、優先度：Ｂ１＞Ａ１）がある時、凝集剤注入率は水質項目Ａ１の最適値Ｘと水質項目Ｂ１の最適値Ｙとから、予め設定しておいた関係より最適な凝集剤注入率Ｚを算出する。この例によると凝集剤注入率は増加するが、より重大な問題である水質項目Ｂ１の値を考慮して定めることで、水処理設備における他の問題を抑制するため、総合するとコスト低減などにつながる。さらに、図１０のような場合には、凝集剤注入率を削減することができる。
【０１２４】
本実施形態によれば、ファウリングの要因の一つと考えられる例えばTEPやE260、あるいは植物プランクトン、クロロフィルaなどの生物学的視点からも凝集剤注入率を制御していることから、膜の目詰まりや配管における圧力損失などの問題も考慮しているので、コスト低減化を実現することができる。
【０１２５】
（第４の実施形態）
図４を参照して第４の実施の形態に係る水処理システムを説明する。なお、本実施形態が上記の実施形態と重複する部分の説明は省略する。
【０１２６】
本実施形態の水処理システム１Ｃでは、砂ろ過装置３と流量計３１との間のラインＬ２に第２の水質分析装置３３を新たに設置し、かつ制御システム２０Ｃ内にフィードバック制御手段として機能するフィードバック制御回路２４を設けた点が異なる。
【０１２７】
第２の水質分析装置３３は、海水の水質を測定して分析する機能を有しており、本実施形態ではTEPおよびMFIの２つの水質測定項目を計測するようになっている。また、第１の水質分析装置３２も同様に、TEPおよびMFIの２つの水質測定項目を計測するようになっている。
【０１２８】
本実施形態の作用を説明する。
【０１２９】
第４の実施形態は第２の実施形態に比べて、フィードバック制御手段２４を新たに設置し、凝集剤注入率演算手段で抽出した注入率をフィードバック制御により補正する点が異なる。
【０１３０】
本実施形態の効果を説明する。
【０１３１】
本実施形態の水処理システム１Ｃでは、前処理装置の上流側および下流側で海水の水質分析をそれぞれ行い、その結果を少なくても２つ以上組み合わせて制御することで、より信頼性のある制御となる。また、前処理装置の上流側の海水の水質分析を行うことにより、特定の水質に限定されることがないので幅広く応用でき、天候や地理的差異などによる水質変動にも適応できることから、凝集剤注入率の最適化を図ることが可能となる。
【０１３２】
本実施形態では、前処理装置の下流側で海水の水質分析を行うことで、注入した凝集剤注入率の適正を見極めることが可能であり、注入した凝集剤注入率が適当でない場合は、測定している水質項目と注入率の関係式を導き、新たな最適注入率を抽出することができるので、コスト低減が可能となる。また、前処理装置の上流側の海水の水質分析を行い、その分析結果と予め記録された記憶手段により初期値を設定することにより、初期値をその時の最適な凝集剤注入率により近い値に設定できるので、注入率の最適値を抽出するまでにかかる時間の短縮と、振らせる注入量も少なくてすむので、よりコスト低減に貢献できる。このように抽出した最適な凝集剤注入率をフィードバック制御により補正し、一定に保つことが可能である。
【０１３３】
図１１のように１つの水質分析結果を基に凝集剤注入率を選定した場合よりも、図９と図１０に示すように少なくとも２つ以上の水質分析結果を採用し、それぞれの水質結果に重み係数をつけ、予め設定しておいた例えば式１のような関係から演算を行うことで、薬品の過剰投与、コストの増加、生物増殖、などのより重大な問題を防止することができる。例えば図９のように、２つの水質分析項目Ａ１とＢ１（問題の重大度、優先度：Ｂ１＞Ａ１）がある時、凝集剤注入率は水質項目Ａ１の最適値Ｘと水質項目Ｂ１の最適値Ｙとから、予め設定しておいた関係より最適な凝集剤注入率Ｚを算出する。この例によると凝集剤注入率は増加するが、より重大な問題である水質項目Ｂ１の値を考慮して定めることで、水処理設備における他の問題を抑制するため、総合するとコスト低減などにつながる。さらに、図１０のような場合には、凝集剤注入率を削減することができる。
【０１３４】
本発明は、ファウリングの要因の一つと考えられる例えばTEPやMFI、あるいは植物プランクトン、クロロフィルaなどの生物化学的視点からも凝集剤注入率を制御していることから、膜の目詰まりや配管における圧力損失などの問題も考慮しているので、コスト低減化を実現することができる。
【０１３５】
（第５の実施形態）
図５を参照して第５の実施の形態に係る水処理システムを説明する。なお、本実施形態が上記の実施形態と重複する部分の説明は省略する。
【０１３６】
本実施形態の水処理システム１Ｄでは、第１の実施形態の砂ろ過装置の代わりに前処理装置として膜ろ過装置１１を設置した点が異なる。膜ろ過装置１１のろ過膜として、精密ろ過膜（MF膜）または限外ろ過膜（UF膜）を用いることができる。
【０１３７】
本実施形態の作用を説明する。
【０１３８】
逆浸透膜モジュールを用いた水処理システムでは、例えば、海水を逆浸透膜モジュールに通して脱塩する前に、取水した海水中に含まれる濁度、藻類、微生物などの懸濁物質を除去するために、凝集剤を注入した後、膜ろ過装置１１を用いて前処理を行う。
【０１３９】
海水の水質は時間や季節変動、さらには地理的差異があり、これに応じて適切な凝集剤注入率も変動するため、必要に応じて前記記載（課題を解決するための手段）の水質項目以外に、後段の逆浸透膜及び前処理である膜ろ過装置１１の膜の差圧上昇を考慮して水質指標の補正を行うこともできる。
【０１４０】
本実施形態の効果を説明する。
【０１４１】
本実施形態の水処理システム１Ｄでは、海水の水質分析を行いその結果を少なくとも２つ以上組み合わせて制御することで、より信頼性のある制御となり、また被処理水の水質分析を行うことにより、特定の水質に限定されることがないので幅広く応用でき、天候や地理的差異などによる水質変動にも適応できることから、凝集剤注入率の最適化を図ることが可能となる。
【０１４２】
本実施形態では、前処理装置の下流側の海水の水質分析により凝集剤注入率を算出することで、注入した凝集剤注入率の適正を見極めることが可能であり、注入した凝集剤注入率が適当でない場合は、測定している水質項目と注入率の関係式を導き、新たな最適注入率を抽出することで、より厳密な凝集剤注入率を算出することができ、コスト低減が可能となる。
【０１４３】
図１１のように１つの水質分析結果を基に凝集剤注入率を選定した場合よりも、図９と図１０のように少なくとも２つ以上の水質分析結果を採用し、それぞれの水質結果に重み係数をつけ、前記のように予め設定しておいた関係から演算を行うことで、薬品の過剰投与、コストの増加、生物増殖、などのより重大な問題を防止することができる。例えば図９のように、２つの水質分析項目Ａ１とＢ１（問題の重大度、優先度：Ｂ１＞Ａ１）がある時、凝集剤注入率は水質項目Ａ１の最適値Ｘと水質項目Ｂ１の最適値Ｙとから、予め設定しておいた関係より最適な凝集剤注入率Ｚを算出する。この例によると凝集剤注入率は増加するが、より重大な問題である水質項目Ｂ１の値を考慮して定めることで、水処理設備における他の問題を抑制するため、総合するとコスト低減などにつながる。さらに、図１０のような場合には、凝集剤注入率を削減することができる。
【０１４４】
本発明は、ファウリングの要因の一つと考えられる例えばTEPや植物プランクトン、クロロフィルaなどの生物学的視点からも凝集剤注入率を制御していることから、膜の目詰まりや配管における圧力損失などの問題も考慮しているので、コスト低減化を実現することができる。
【０１４５】
（第６の実施形態）
図６を参照して第６の実施の形態に係る水処理システムを説明する。なお、本実施形態が上記の実施形態と重複する部分の説明は省略する。
【０１４６】
本実施形態の水処理システム１Ｅでは、砂ろ過装置の代わりに前処理装置として膜ろ過装置１１を設置し、かつ膜ろ過装置１１と流量計３１との間のラインＬ２に第２の水質分析装置３３を新たに設置した点が異なる。
【０１４７】
本実施形態の作用を説明する。
【０１４８】
海水の水質は時間や季節変動、さらには地理的差異があり、これに応じて適切な凝集剤注入率も変動するため、必要に応じて前記記載（課題を解決するための手段）の水質項目以外に、後段の逆浸透膜及び前処理である膜ろ過システムの膜の差圧上昇を考慮して水質指標の補正を行うこともできる。
【０１４９】
本実施形態の効果を説明する。
【０１５０】
本実施形態の水処理システム１Ｅでは、前処理装置の上流側および下流側の海水の水質分析をそれぞれ行い、その結果を少なくても２つ以上組み合わせて制御することで、より信頼性のある制御となる。また、前処理装置の上流側の海水の水質分析を行うことにより、特定の水質に限定されることがないので幅広く応用でき、天候や地理的差異などによる水質変動にも適応できることから、凝集剤注入率の最適化を図ることが可能となる。
【０１５１】
本実施形態では、前処理装置の下流側の海水の水質分析を行うことで、注入した凝集剤注入率の適正を見極めることが可能であり、注入した凝集剤注入率が適当でない場合は、測定している水質項目と注入率の関係式を導き、新たな最適注入率を抽出することができるので、コスト低減が可能となる。また、前処理装置の上流側の海水の水質分析を行い、その分析結果と予め記録された記憶手段により初期値を設定することにより、初期値をその時の最適な凝集剤注入率により近い値に設定できるので、注入率の最適値を抽出するまでにかかる時間の短縮と、振らせる注入量も少なくてすむので、よりコスト低減に貢献できる。
【０１５２】
図１１のように１つの水質分析結果を基に凝集剤注入率を選定した場合よりも、図９と図１０のように少なくとも２つ以上の水質分析結果を採用し、それぞれの水質結果に重み係数をつけ、予め設定しておいた例えば式（１）のような関係から演算を行うことで、薬品の過剰投与、コストの増加、生物増殖、などのより重大な問題を防止することができる。例えば図９のように、２つの水質分析項目Ａ１とＢ１（問題の重大度、優先度：Ｂ１＞Ａ１）がある時、凝集剤注入率は水質項目Ａ１の最適値Ｘと水質項目Ｂ１の最適値Ｙとから、予め設定しておいた関係より最適な凝集剤注入率Ｚを算出する。この例によると凝集剤注入率は増加するが、より重大な問題である水質項目Ｂ１の値を考慮して定めることで、水処理設備における他の問題を抑制するため、総合するとコスト低減などにつながる。さらに、図１０のような場合には、凝集剤注入率を削減することができる。
【０１５３】
本実施形態では、ファウリングの要因の一つと考えられる例えばTEPや植物プランクトン、クロロフィルaなどの生物化学的視点からも凝集剤注入率を制御していることから、膜の目詰まりや配管における圧力損失などの問題も考慮しているので、コスト低減化を実現することができる。
【０１５４】
（第７の実施形態）
図７を参照して第７の実施の形態に係る水処理システムを説明する。なお、本実施形態が上記の実施形態と重複する部分の説明は省略する。
【０１５５】
本実施形態の水処理システム１Ｆでは、砂ろ過装置の代わりに前処理装置として膜ろ過装置１１を設置し、かつ制御システム２０Ｃ内にフィードバック制御手段として機能するフィードバック制御回路２４を設けた点が異なる。
【０１５６】
本実施形態の作用を説明する。
【０１５７】
第７の実施形態は第３の実施形態に比べて、砂ろ過システム３を膜ろ過装置１１に変えた点において異なる。
【０１５８】
海水の水質は時間や季節変動、さらには地理的差異があり、これに応じて適切な凝集剤注入率も変動するため、必要に応じて前記記載（課題を解決するための手段）の水質項目以外に、後段の逆浸透膜及び前処理装置である膜ろ過装置１１の膜の差圧上昇を考慮して水質指標の補正を行うこともできる。
【０１５９】
本実施形態の効果を説明する。
【０１６０】
本実施形態の水処理システム１Ｆでは、前処理装置の下流側の海水の水質分析を行い、その結果を少なくとも２つ以上組み合わせて制御することで、より信頼性のある制御となり、また抽出した注入率をフィードバック制御することで注入率を補正し一定に保つことができる。
【０１６１】
本発明は、前処理装置の下流側の海水の水質分析により凝集剤注入率を算出することで、注入した凝集剤注入率の適正を見極めることが可能であり、注入した凝集剤注入率が適当でない場合は、測定している水質項目と注入率の関係式を導き、新たな最適注入率を抽出することで、より厳密な凝集剤注入率を算出することができ、コスト低減が可能となる。
【０１６２】
図１１のように１つの水質分析結果を基に凝集剤注入率を選定した場合よりも、図９と図１０のように少なくとも２つ以上の水質分析結果を採用し、それぞれの水質結果に重み係数をつけ、前記のように予め設定しておいた関係から演算を行うことで、薬品の過剰投与、コストの増加、生物増殖、などのより重大な問題を防止することができる。例えば図９のように、２つの水質分析項目Ａ１とＢ１（問題の重大度、優先度：Ｂ１＞Ａ１）がある時、凝集剤注入率は水質項目Ａ１の最適値Ｘと水質項目Ｂ１の最適値Ｙとから、予め設定しておいた関係より最適な凝集剤注入率Ｚを算出する。この例によると凝集剤注入率は増加するが、より重大な問題である水質項目Ｂ１の値を考慮して定めることで、水処理設備における他の問題を抑制するため、総合するとコスト低減などにつながる。さらに、図１０のような場合には、凝集剤注入率を削減することができる。
【０１６３】
本実施形態では、ファウリングの要因の一つと考えられる例えばTEPや植物プランクトン、クロロフィルaなどの生物学的視点からも凝集剤注入率を制御していることから、膜の目詰まりや配管における圧力損失などの問題も考慮しているので、コスト低減化を実現することができる。
【０１６４】
（第８の実施形態）
図８を参照して第８の実施の形態に係る水処理システムを説明する。なお、本実施形態が上記の実施形態と重複する部分の説明は省略する。
【０１６５】
本実施形態の水処理システム１Ｇでは、砂ろ過装置の代わりに前処理装置として膜ろ過装置１１を設置し、かつ膜ろ過装置１１と流量計３１との間のラインＬ２に第２の水質分析装置３３を新たに設置し、かつ制御システム２０Ｇ内にフィードバック制御手段として機能するフィードバック制御回路２４を設けた点が異なる。
【０１６６】
本実施形態の作用を説明する。
【０１６７】
第８の実施形態は第５の実施形態に比べて、砂ろ過システム３を膜ろ過装置１１に変えた点において異なる。
【０１６８】
海水の水質は時間や季節変動、さらには地理的差異があり、これに応じて適切な凝集剤注入率も変動するため、必要に応じて前記記載（課題を解決するための手段）の水質項目以外に、後段の逆浸透膜及び前処理である膜ろ過システムの膜の差圧上昇を考慮して水質指標の補正を行うこともできる。
【０１６９】
本実施形態の効果を説明する。
【０１７０】
本実施形態の水処理システム１Ｇでは、前処理装置の上流側および下流側の海水の水質分析をそれぞれ行い、その結果を少なくても２つ以上組み合わせて制御することで、より信頼性のある制御となる。また、前処理装置の上流側の海水の水質分析を行うことにより、特定の水質に限定されることがないので幅広く応用でき、天候や地理的差異などによる水質変動にも適応できることから、凝集剤注入率の最適化を図ることが可能となる。
【０１７１】
本実施形態では、前処理装置の下流側の海水の水質分析を行うことで、注入した凝集剤注入率の適正を見極めることが可能であり、注入した凝集剤注入率が適当でない場合は、測定している水質項目と注入率の関係式を導き、新たな最適注入率を抽出することができるので、コスト低減が可能となる。また、前処理装置の上流側の海水の水質分析を行い、その分析結果と予め記録された記憶手段により初期値を設定することにより、初期値をその時の最適な凝集剤注入率により近い値に設定できるので、注入率の最適値を抽出するまでにかかる時間の短縮と、振らせる注入量も少なくてすむので、よりコスト低減に貢献できる。このように抽出した最適な凝集剤注入率をフィードバック制御により補正し、一定に保つことが可能である。
【０１７２】
図１１のように１つの水質分析結果を基に凝集剤注入率を選定した場合よりも、図９と図１０のように少なくとも２つ以上の水質分析結果を採用し、それぞれの水質結果に重み係数をつけ、予め設定しておいた例えば式（１）のような関係から演算を行うことで、薬品の過剰投与、コストの増加、生物増殖、などのより重大な問題を防止することができる。例えば図９のように、２つの水質分析項目Ａ１とＢ１（問題の重大度、優先度：Ｂ１＞Ａ１）がある時、凝集剤注入率は水質項目Ａ１の最適値Ｘと水質項目Ｂ１の最適値Ｙとから、予め設定しておいた関係より最適な凝集剤注入率Ｚを算出する。この例によると凝集剤注入率は増加するが、より重大な問題である水質項目Ｂ１の値を考慮して定めることで、水処理設備における他の問題を抑制するため、総合するとコスト低減などにつながる。さらに、図１０のような場合には、凝集剤注入率を削減することができる。
【０１７３】
本実施形態では、ファウリングの要因の一つと考えられる例えばTEPや植物プランクトン、クロロフィルaなどの生物化学的視点からも凝集剤注入率を制御していることから、膜の目詰まりや配管における圧力損失などの問題も考慮しているので、コスト低減化を実現することができる。
【０１７４】
以上のように本発明によれば、被処理水の濁度、SDI、MFI、TOC、E260、生物学的視点からみたTEP量、クロロフィルa量、植物プランクトン数、蛍光強度などをそれぞれ分析し、これらの水質結果を少なくとも２つ以上組み合わせた結果を組み合わせることで、凝集剤注入率の最適化を図ることができ、特に生物学的要因物質を水質項目に加えることで、より最適な凝集剤注入率を算出することができる。
【符号の説明】
【０１７５】
１，１Ａ〜１Ｇ…水処理システム、
２…原水槽、３…前処理装置（砂ろ過槽）、４…調整水槽、５…保安フィルター、
６…逆浸透膜モジュール（ＲＯ膜モジュール）、７…処理水槽、
１０…凝集剤注入装置、
１１…前処理装置（ろ過膜モジュール、ＭＦ膜モジュールまたはＵＦ膜モジュール）、
２０，２０Ａ，２０Ｂ，２０Ｃ，２０Ｄ，２０Ｅ，２０Ｆ，２０Ｇ…制御システム、
２１…ＣＰＵ（凝集剤注入率制御手段、関係式導出手段）、
２２…入出力インターフェース（関係式導出手段）、
２３…データベース（記録装置、関係式導出手段）、
２４…フィードバック制御回路（フィードバック制御手段、関係式導出手段）、
３１…流量計、
３２…第１の水質分析装置（下流側の水質分析装置）、
３３…第２の水質分析装置（上流側の水質分析装置）、
Ｐ１，Ｐ２…ポンプ、Ｐ３…ポンプ、Ｌ１〜Ｌ７，Ｌ１０…ライン、
Ｓ１〜Ｓ４…信号。
【図１】
2012170848.tif 000003
【図２】
2012170848.tif 000004
【図３】
2012170848.tif 000005
【図４】
2012170848.tif 000006
【図５】
2012170848.tif 000007
【図６】
2012170848.tif 000008
【図７】
2012170848.tif 000009
【図８】
2012170848.tif 000010
【図９】
2012170848.tif 000011
【図１０】
2012170848.tif 000012
【図１１】
2012170848.tif 000013
【図１２】
2012170848.tif 000014
【図１３】
2012170848.tif 000015
【図１４】
2012170848.tif 000016